(57)【要約】【課題】収納時の大きさを小さくする。収納時の埃防止。【解決手段】動作可能時と収納時に開閉されるベース部と蓋部を有し、その開閉動作に連動して動作時前記キャリッジが往復動作する空間に収納された部材を移動させる。【選択図】　　　　図１
2004130618.tif 000002
【特許請求の範囲】
【請求項１】
画像を記録する記録手段と、
記録材を搬送する搬送手段と、
前記記録手段を搭載し、記録材の搬送方向と直角方向に往復動作されるキャリッジとを備えた記録装置において、
動作可能時と収納時に開閉されるベース部と蓋部を有し、
その開閉動作に連動して動作時前記キャリッジが往復動作する空間に収納された部材を移動させることを特徴とする記録装置。
【請求項２】
前記連動して移動される部材は記録材を搬送する搬送手段であることを特徴とする請求項１の記録装置。
【請求項３】
前記連動して移動される部材は記録材をスタックしている記録材スタック手段であることを特徴とする請求項１の記録装置。
【請求項４】
前記連動して移動される部材は記録材スタック手段から記録材を材搬送手段に送り込むための給紙手段であることを特徴とする請求項１の記録装置。
【請求項５】
前記連動して移動される部材とキヤリッジは開閉されるベース部と蓋部に分かれることを特徴とする請求項１〜４の記録装置。
【発明の詳細な説明】
【０００１】
【発明の属する技術分野】
本発明は画像を記録する記録手段と、記録材を搬送する搬送手段と、前記記録手段を搭載し、記録材の搬送方向と直角方向に往復動作されるキャリッジとを備えた記録装置であって、動作可能時と収納時に開閉されるベース部と蓋部を有する記録装置に関するものである。
【０００２】
【従来の技術】
従来、この種の画像記録装置としては、記録ヘッドをキャリッジに搭載してキャリッジを記録材搬送幅方向に移動して記録材表面に記録を行う、いわゆるシリアル記録装置がある。
【０００３】
このシリアル記録装置では、記録材の搬送とキャリッジによる記録とを交互に繰り返しながら記録材上に画像を記録していく。
【０００４】
また近年ではこのような記録装置をを用い、持ち運び可能な、もしくは収納しやすさを考慮した記録装置の要求が高まっている。
【０００５】
このように可搬性、収納性が考慮された記録装置としてベース部と蓋部に分かれ、持ち運び時、もしくは収納時は閉じた状態、使用時に開かれた状態となるような記録装置の提案がなされている。
【０００６】
このような開閉式の構成とすることにより、持ち運び時および収納時の外部からの埃等を防ぐことが可能となったり、出っ張りのない持ち運び及び収納し易い形態とすることが可能となる。
【０００７】
【発明が解決しようとする課題】
このような可搬性、収納性を考慮する場合、出っ張りのない持ち運び及び収納し易い形態とすることだけでなく、より一層小さくし、可搬性、収納性を向上させることがのぞまれる。また一方、持ち運び時及び収納時の状態より、使用時の状態へと状態を変化させるために、わずらわしい操作を極力なくすことも重要な課題となっている。
【０００８】
本発明は上記の従来技術の課題を解決するためになされたもので、その目的とするところは、画像を記録する記録手段と、記録材を搬送する搬送手段と、前記記録手段を搭載し、記録材の搬送方向と直角方向に往復動作されるキャリッジとを備えた記録装置であって、動作可能時と収納時に開閉されるベース部と蓋部を有する記録装置においてより一層小さくし、可搬性、収納性を向上させることが可能な記録装置を提供することにある。
【０００９】
また、持ち運び時及び収納時の状態より、使用時の状態へと状態を変化させるために、わずらわしい操作をなくした記録装置を提供することにある。
【００１０】
【課題を解決するための手段】
上記目的を達成するため、本出願に係る第一の発明は画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された部材を移動させることを特徴とする。
【００１１】
さらには、画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された記録材を搬送する搬送手段を移動させることを特徴とする。
【００１２】
さらには、画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された記録材をスタックしている記録材スタック手段を移動させることを特徴とする。
【００１３】
さらには、画像を記録する記録手段と、記録材を搬送する搬送手段と、
前記記録手段を搭載し、記録材の搬送方向と直角方向に往復動作されるキャリッジとを備えた記録装置において、
動作可能時と収納時に開閉されるベース部と蓋部を有し、その開閉動作に連動して動作時前記キャリッジが往復動作する空間に収納された記録材スタック手段から記録材を材搬送手段に送り込むための給紙手段を移動させることを特徴とする。
【００１４】
さらには、画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された部材とキャリッジとが開閉されるベース部と蓋部に分かれることを特徴とする。
【００１５】
上記構成において、より一層小さくし、可搬性、収納性を向上させることが可能となり、また、持ち運び時及び収納時の状態より、使用時の状態へと状態を変化させるために、わずらわしい操作をなくすことが可能となる。
【００１６】
【発明の実施の形態】
以下添付図面を参照して本発明の好適な実施の形態について詳細に説明する。
【００１７】
図１は本発明の代表的な実施形態であるインクジェット方式に従って記録を行う記録ヘッドを備えた記録装置の概略構成を示す斜視図である。この実施形態では、図１に示す様に記録ヘッド１はこれにインクを供給するインクタンク７とともに連結一体化されたインクカートリッジ２０から構成される。
【００１８】
また、この記録ヘッドは、特にインクジェット記録方式の中でも、インク吐出を行わせるために利用されるエネルギーとして熱エネルギーを発生する手段を備え、その熱エネルギーによりインクの状態変化を生起させる方式を用いることにより記録の高密度化、高精細化を達成している。
【００１９】
図１において、記録ヘッド１は図中下向きにインクを吐出する姿勢でキャリッジ２に搭載されており、キャリッジ２をガイド軸３に沿って移動させながらインク液滴を吐出して記録用紙のような記録媒体（不図示）上に画像を形成していく。なお、キャリッジ２の左右移動（往復移動）は不図示のキャリッジモータの回転によりタイミングベルト５を介して行われる。
【００２０】
さて、記録ヘッド１走査分の記録が終了すると、記録動作を中斬し、ベースケース部にて形成されたプラテン８上に位置する記録媒体を不図示のフィードモータの駆動により搬送ローラ９にて所定量だけ搬送し、次いで再びキャリッジ２をガイド軸３に沿って移動させながら次の１走査分の画像形成を行う。
【００２１】
以下さらに図１及び図２及び図３を説明することにより本発明の第一実施例を説明する。記録媒体６は図２にて示すように装置下方に設置されたスタック部１０にスタックされた記録媒体６．ａの状態から給紙ローラ１１にて一枚ずつ給紙分離され、プラテン８を経由して搬送ローラ９へと受け渡される。さらに記録媒体６は図２にて示すように装置後方上方へと導かれ、蓋ケース部１２に設けられた排紙スタック部１３に６．ｂの状態にスタックされていく。
【００２２】
図３は本発明による記録装置が収納状態にあるところを示し、図２に示すような印字可能状態へとなるためには、図中右上方の装置後方部をヒンジとして、ベースケース部４及び蓋ケース部１２が開状態とならなければならない。
【００２３】
給紙ローラ１１を含んだ給紙ユニット部１４はベースケース部４から出っ張った状態となっており、一方記録ヘッド１及びインクタンク７を搭載したキャリッジ２は蓋ケース部１２から出っ張った状態となっている。また図２及び図３にて示すように、収納時はキヤリッジ２が図中右端に位置され、動作時前記キャリッジ２が往復動作する空間に給紙ユニット部１４が収納される。よって動作時お互い出っ張った状態の記録ヘッド１及びインクタンク７を搭載したキャリッジ２と給紙ユニット部１４はお互い干渉せず、収納が可能となる。
【００２４】
以上の構成において、収納時の大きさをより一層小さくし、可搬性、収納性を向上させることが可能となり、収納時からベースケース部４及び蓋ケース部１２を開状態とする動作のみで、余分な時間、わずらわしさを発生させることなく使用可能状態とすることが可能となる。
【００２５】
【発明の効果】
以上説明したように本出願に係る第一の発明によれば、画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された部材を移動させることにより、さらには、画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された記録材を搬送する搬送手段を移動させることにより、さらには、画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された記録材をスタックしている記録材スタック手段を移動させることを特徴とする。
【００２６】
さらには、画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された記録材スタック手段から記録材を材搬送手段に送り込むための給紙手段を移動させることにより、さらには、画像を記録する記録手段と、記録材を搬送する搬送手段と、前記記録手段を搭載し、記録材の搬送方向と直角方向に往復動作されるキャリッジとを備えた記録装置において、動作可能時と収納時に開閉されるベース部と蓋部を有し、その開閉動作に連動して動作時前記キャリッジが往復動作する空間に収納された部材とキャリッジとが開閉されるベース部と蓋部に分かれる構成となることにより、より一層小さくし、可搬性、収納性を向上させることが可能となり、また、持ち運び時及び収納時の状態より、使用時の状態へと状態を変化させるために、わずらわしい操作をなくすことが可能となる。
【図面の簡単な説明】
【図１】本発明の実施形態であるインクジェット方式に従って記録を行う記録ヘッドを備えた記録装置の概略構成を示す斜視図である。
【図２】使用時の記録装置全体を示す斜視図である。
【図３】収納時の記録装置全体を示す斜視図である。
【符号の説明】
１　記録ヘッド
２　キャリッジ
３　ガイド軸
４　ベースケース部
５　タイミングベルト
６　記録媒体
７　インクタンク
８　プラテン
９　搬送ローラ
１０　給紙スタック部
１１　給紙ローラ
１２　蓋ケース部
１３　排紙スタック部
１４　給紙ユニット部
【図１】
2004130618.tif 000003
【図２】
2004130618.tif 000004
【図３】
2004130618.tif 000005